(57)【要約】【課題】ユーザに代金未払い状態で媒体を発送し、後に課金し媒体を使用可能にする媒体販売管理システムにおいて、代金未払い状態の媒体の使用を制限する。【解決手段】本システム１は、識別子及び書込禁止を設定する情報を記録した媒体２、媒体２が使用される記録装置３、及び、記録装置３と接続され媒体２の販売を管理する媒体管理サーバ４よりなる。記録装置３は、予め配布された媒体２が装着されると、サーバ４に媒体２の識別子を送信し、書込禁止を解除するパスワードの送信を要求する要求部３ａ、及び、パスワードの受信により書込み禁止を解除する管理部３ｂを有する。サーバ４は、識別子とパスワードを対応付けて記憶するパスワード記憶部４ａ、及び、パスワード送信要求に応じて、識別子に対応するパスワードを送信すると共に、媒体２の代金を課金し、媒体２の販売数を管理する販売管理部４ｂを有する。【選択図】図１
2010250649.tif 000002
【特許請求の範囲】
【請求項１】
識別情報及びデータの書込み禁止を設定する禁止制御情報を記録した記録媒体と、
該記録媒体の装着及び前記書込み禁止の解除が可能な１又は複数の書込み禁止解除装置と、
該書込み禁止解除装置と接続された前記記録媒体の販売を管理する媒体管理サーバとよりなり、
前記書込み禁止解除装置は、予めユーザに配布された未使用の前記記録媒体が装着されると、前記媒体管理サーバに当該記録媒体の識別情報を送信し、前記書込み禁止を解除する解除制御情報の送信を要求する書込み禁止解除要求部、及び、前記解除制御情報の受信により前記書込み禁止を解除する書込み管理部を有し、
前記媒体管理サーバは、前記識別情報と前記解除制御情報を対応付けて記憶する解除制御情報記憶部、及び、前記解除制御情報の送信の要求に応じて、前記識別情報に対応する前記解除制御情報を送信すると共に、当該記録媒体の販売代金を課金し、前記記録媒体の販売数を管理する販売管理部を有することを特徴とする記録媒体販売管理システム。
【請求項２】
前記媒体管理サーバの前記販売管理部は、発送済み記録媒体情報、及び、課金済み記録媒体情報をユーザ毎に管理し、これら発送済み記録媒体情報及び課金済み記録媒体情報に基づき、ユーザの代金未払いの記録媒体の枚数が所定枚数以下となっているか判定し、所定枚数以下の場合は、当該ユーザへの記録媒体の補充指示を行うことを特徴とする請求項１に記載の記録媒体販売管理システム。
【請求項３】
前記媒体管理サーバの前記販売管理部は、前記記録媒体についての課金履歴をユーザ毎に管理し、前記所定枚数を課金履歴に応じて可変とすることを特徴とする請求項２に記載の記録媒体販売管理システム。
【請求項４】
前記書込み禁止解除装置の書込み禁止解除要求部は、前記装着された未使用の記録媒体について代金を支払うかをユーザに確認し、確認がとれた場合のみ、当該記録媒体の識別情報を送信し、前記解除制御情報の送信を要求することを特徴とする請求項１〜３のいずれか１項に記載の記録媒体販売管理システム。
【請求項５】
前記書込み禁止解除装置は、前記書込み禁止が解除された前記記録媒体に記録を行う記録部を有する記録装置であることを特徴とする請求項１〜４のいずれか１項に記載の記録媒体販売管理システム。
【発明の詳細な説明】
【技術分野】
【０００１】
本発明は、代金未払いの状態の記録媒体をユーザ宅に配送し、後に購入させる記録媒体販売管理システムに関する。
【背景技術】
【０００２】
現在様々な方式のデータストレージが実用化されており、なかでもＤＶＤ（Digital Versatile Disk）やＢＤ（Blue-ray Disc）などのリムーバブルメディアは、ユーザにとって入手や買い増しが比較的容易なため、映像記録用、データ記録用など様々な用途に広く活用されている。
【０００３】
しかしながら、ユーザの視点から見ると、ストック切れによって番組録画の機会を逸する恐れがあるためある程度の買い置きが必要だが、逆に多過ぎる買い置きは無駄な出費につながるという問題を抱えている。この種の課題を解決するシステムの例としては、医薬品の配置販売業いわゆる「置き薬方式」を応用することが可能である。すなわち、予めまとまった数量のメディア（記録媒体）をユーザ宅に配置し、担当者がユーザ宅を次回に訪問した際に、使用した枚数に応じた料金を徴収するというものである。
【０００４】
なお、メディアの販売方法に関連し、特許文献１には、ニュース等の情報が記録されたメディアの自動販売機が開示されており、特許文献２には、音楽情報が記録されたメディアを販売する販売店に来店した顧客が、自分の携帯端末によって楽曲を視聴した上で、その楽曲の音楽情報が記録されたメディアを購入できるシステムが開示されている。
【先行技術文献】
【特許文献】
【０００５】
【特許文献１】特開平４−１３８５８９号公報
【特許文献２】特開２００２−３６７０２６号公報
【発明の概要】
【発明が解決しようとする課題】
【０００６】
しかしながら、「置き薬方式」では、販売担当者がユーザ宅を訪問するための手間と費用がかかり非効率であるほか、ユーザのメディア使用頻度に比して訪問間隔が長い場合には、やはりストック枯渇の可能性があるという問題を抱えている。
また、「置き薬方式」のように代金未払いのメディアを配送しておくと、メディアの代金を回収できないリスクがある。
特許文献１及び特許文献２に開示の技術は、購入したメディアを販売箇所において直接ユーザに渡すものであり、これら文献には、代金未払いの状態のメディアをユーザ宅に配送するシステムにおける上述の課題について開示も示唆もない。
【０００７】
本発明は、上述のような実状に鑑みてなされたものであり、その目的は、特定のユーザに代金未払いの状態で記録媒体を発送し、後に課金して記録媒体を使用可能にする記録媒体販売管理システムであって、代金未払いの状態の記録媒体の使用を制限するシステムを提供することにある。
【課題を解決するための手段】
【０００８】
上記課題を解決するために、本発明の第１の技術手段は、記録媒体販売管理システムであって、識別情報及びデータの書込み禁止を設定する禁止制御情報を記録した記録媒体と、該記録媒体の装着及び前記書込み禁止の解除が可能な１又は複数の書込み禁止解除装置と、該書込み禁止解除装置と接続された前記記録媒体の販売を管理する媒体管理サーバとよりなり、前記書込み禁止解除装置が、予めユーザに配布された未使用の前記記録媒体が装着されると、前記媒体管理サーバに当該記録媒体の識別情報を送信し、前記書込み禁止を解除する解除制御情報の送信を要求する書込み禁止解除要求部、及び、前記解除制御情報の受信により前記書込み禁止を解除する書込み管理部を有し、前記媒体管理サーバが、前記識別情報と前記解除制御情報を対応付けて記憶する解除制御情報記憶部、及び、前記解除制御情報の送信の要求に応じて、前記識別情報に対応する前記解除制御情報を送信すると共に、当該記録媒体の販売代金を課金し、前記記録媒体の販売数を管理する販売管理部を有することを特徴としたものである。
【０００９】
第２の技術手段は、第１の技術手段において、前記媒体管理サーバの前記販売管理部が、発送済み記録媒体情報、及び、課金済み記録媒体情報をユーザ毎に管理し、これら発送済み記録媒体情報及び課金済み記録媒体情報に基づき、ユーザの代金未払いの記録媒体の枚数が所定枚数以下となっているか判定し、所定枚数以下の場合は、当該ユーザへの記録媒体の補充指示を行うことを特徴としたものである。
【００１０】
第３の技術手段は、第２の技術手段において、前記媒体管理サーバの前記販売管理部が、前記記録媒体についての課金履歴をユーザ毎に管理し、前記所定枚数を課金履歴に応じて可変とすることを特徴としたものである。
【００１１】
第４の技術手段は、第１乃至第３のいずれか１の技術手段において、前記書込み禁止解除装置の書込み禁止解除要求部が、前記装着された未使用の記録媒体について代金を支払うかをユーザに確認し、確認がとれた場合のみ、当該記録媒体の識別情報を送信し、前記解除制御情報の送信を要求することを特徴としたものである。
【００１２】
第５の技術手段は、第１乃至第４のいずれか１の技術手段において、前記書込み禁止解除装置が、前記書込み禁止が解除された前記記録媒体に記録を行う記録部を有する記録装置であることを特徴としたものである。
【発明の効果】
【００１３】
本発明によれば、代金未払いの状態で記録媒体を配布しても代金を確実に徴収できる。また、ユーザ宅訪問による補充、料金徴収の手間がかからず効率的である。さらに、記録媒体が自動的に又はユーザの要求により補充されるため、ユーザ宅での記録媒体のストック切れの可能性が少なくなる。
【図面の簡単な説明】
【００１４】
【図１】本発明の記録媒体販売管理システムの構成例を示す図である。
【図２】本発明の記録媒体販売管理システムに用いられる記録媒体の一例を説明する図である。
【図３】図１の記録媒体販売管理システム１における動作の流れの一例を説明するフローチャートである。
【図４】図１の記録装置３が表示装置に表示させる表示画面であって、代金未払いでライトプロテクトされたメディアについての代金の支払いに関わる画面の例を示す図である。
【図５】図１の記録装置３の構成例を示すブロック図である。
【図６】図１のメディア管理サーバ４を構成する汎用コンピュータの内部構成例を示すブロック図である。
【発明を実施するための形態】
【００１５】
図１及び図２を用いて、本発明の概要を説明する。図１は、本発明の記録媒体販売管理システムの構成例を示す図、図２は、本発明の記録媒体販売管理システムに用いられる記録媒体の一例を説明する図である。
【００１６】
本発明の記録媒体販売管理システムは、代金未払いの状態ではライトプロテクトされた（無能力化された）メディアを、ユーザ宅に予め配送しておき、未使用のそのメディアを記録装置で使用する段階でユーザに課金し、当該メディアのライトプロテクトを解除し、また、代金未払い状態のメディアの残数が少なくなった場合に、自動的に又はユーザの要求に応じてユーザ宅へメディアを配送するものである。
【００１７】
本記録媒体販売管理システムは、図１の１で例示するように、無能力化されたメディア（例えば、ＤＶＤやＢＤなどの大容量の光ディスク媒体）２と、そのメディア２が使用される記録装置（例えば、放送波記録用の映像記録装置）３と、記録装置３とネットワークＮを介して接続されメディア２の販売を管理するメディア管理サーバ（媒体管理サーバ）４とより成る。なお、図のシステム１では、記録装置３は１つのみとなっているが、複数であってもよい。
【００１８】
記録媒体販売管理システム１で用いられるメディア２には、図２に示すように、例えば、一般のデータエリアとは別の領域に、ライトプロテクトのＯＮ／ＯＦＦを設定する情報を記述するためのライトプロテクト記述領域２ａが設けられ、この領域２ａには、ユーザ宅へ配送された段階では、ライトプロテクトをＯＮとする情報（データの書込み禁止を設定する禁止制御情報）が記述されている。また、ライトプロテクト記述領域２ａには、後述のようにメディア２の識別子と対応付けてメディア管理サーバ４に記憶されるライトプロテクト解除用のキー（パスワード）が記述される。
【００１９】
記録装置３は、大別して、ドライブと、該ドライブとの間及びメディア管理サーバ４との間で各種データ情報を送受するバックエンドと、からなり、ドライブが上記メディア２に対応している。メディア２に対応するドライブは、装着されたメディア２からパスワードを読み出すことができるが、バックエンドにはパスワードは流出されない（そのようにドライブ及びメディアの規格で定める）。また、メディア２に対応するドライブは、後述のようにメディア管理サーバ４からバックエンドを介して、当該メディア２のパスワードを受け取り、受け取ったパスワードがライトプロテクト記述領域２ａのパスワードと一致した場合のみ、ライトプロテクトを解除できる（そのようにドライブ及びメディアの規格で定める）。
【００２０】
また、同じくメディア２の一般のデータエリアとは別の領域に、メディア固有情報記述領域２ｂが設けられ、この領域２ｂには、メディアを一意に識別する識別子（識別情報）が記述されている。また、この識別子は、代金未払いの状態でライトプロテクトされたメディア２がドライブに挿入されたときバックエンドに送出され、ライトプロテクト解除用のパスワードの取得のためメディア管理サーバ４へ送出される。
メディア固有情報記述領域２ｂは、規格により定めても良いし、ベンダ依存部分に別途定めでも良い。また、暗号化した識別子を保持し、正規（認証された）ドライブまたはバックエンドのみ識別子を読み出せるようにしてもよい。
【００２１】
ユーザに配送されるメディア（無能力化メディア）２は、その生産工程において、メディア固有情報記述領域２ｂにユニークな識別子が付与され、ライトプロテクト記述領域２ａに禁止制御情報（Write Protect=ON）かつ適切なパスワードを設定された状態で生産される。本システムにおいて、メディア管理サーバ４は、全てのメディア２について、メディア識別子とライトプロテクト解除用のパスワードを組で記憶し、管理する。
【００２２】
図１の説明に戻る。本記録媒体販売管理システム１では、上述のメディア２を用いて、メディア２のユーザ宅への補充を行いつつ、代金未払いの状態でのメディア２の使用を制限するため、以下のような構成を記録装置３やメディア管理サーバ４は有する。
【００２３】
すなわち、記録装置３は、予めユーザに配布された未使用のメディア（ライトプロテクトされたメディア）２が装着されると、メディア管理サーバ４に、装着されたメディア２の識別子を送信し、ライトプロテクトを解除する解除制御情報（パスワード）の送信を要求する書込み禁止解除要求部３ａを有する。
また、メディア管理サーバ４は、識別子とパスワードとを対応付けて記憶するパスワード記憶部４ａ、及び、記録装置３からのパスワードの送信要求に応じて、識別子に対応するパスワードを送信すると共に、メディアの販売代金を当該メディアの配送先のユーザに課金し、メディアの販売数を管理する販売管理部４ｂを有する。
【００２４】
そして、記録装置３は、さらに、装着されたメディアについての、メディア管理サーバ４からのパスワードの受信によりライトプロテクトを解除する書込み管理部３ｂを有する。
【００２５】
また、メディア管理サーバ４の販売管理部４ｂは、発送済みのメディアの情報（識別子や発送枚数）をユーザ毎に管理しており、記録装置３からの要求に応じてパスワードを送信するときは、この発送済メディア情報に基づき、該当するメディアを保持するユーザへの課金指示を課金部４ｃへ行う。
【００２６】
販売管理部４ｂは、上記発送済メディア情報の他、代金支払済み（課金済み）のメディアの情報（例えば、その枚数）についてもユーザ毎に管理している。販売管理部４ｂは、これら発送済メディア情報及び代金支払済メディア情報に基づき、ユーザ宅にある代金未払い（すなわち未使用）のメディアの枚数が所定枚数以下となったときに、メディアの補充指示を発送管理部Ｘへ行う。また、販売管理部４ｂは、記録装置３を介したユーザからの要求に応じてメディアの補充指示を行うこともできる。発送管理部Ｘでは、例えば人間が補充指示に基づき、所定のメディアの発送処理を行う。
【００２７】
以上の構成により、メディア代の徴収が自動的に補充されるので、訪問による料金徴収の手間が省け効率的であり、また、メディアの補充が自動又はユーザ指示に応じて行われるため、ユーザ宅での記録媒体のストック切れの可能性が少ない。さらに、代金未払いの状態では、メディア２はライトプロテクトされているため、課金なしにメディアが使用されることがない。
【００２８】
なお、本記録媒体販売管理システム１で用いるメディア２を、ライトプロテクトされた状態で、当該メディア２に非対応のドライブに挿入した場合、そのドライブではライトプロテクトされていることは認識できる。しかし、メディアに非対応のドライブでは、識別子の取得等ができないため、このライトプロテクトを解除することはできない。そのため、本記録媒体販売管理システム１を構成する記録装置３以外の記録装置で代金未払いのメディア２が使用されることはない。
【００２９】
次に、図３及び図４に基づいて、本発明の記録媒体販売管理システムにおける動作の流れの一例を説明する。図３は、図１の記録媒体販売管理システム１における動作の流れを説明するフローチャートであり、図４は、記録装置３が表示装置に表示させる表示画面であって、代金未払いでライトプロテクトされたメディアについての代金の支払いに関わる画面の例を示す図である。
【００３０】
図３に示すように、ユーザが、手元のメディアを１枚、記録に使う目的で記録装置３に挿入すると（ステップＳ１）、記録装置３は、メディアのライトプロテクト記述領域２ａを参照し、そのメディアがライトプロテクトされた（無能力化された）メディアつまり未購入のメディアであるかどうか判断する（ステップＳ２）。
【００３１】
ライトプロテクトされたメディアでない場合（ＮＯの場合）、従来のものと記録装置３の動作は変わらないので、その説明は省略する。一方、ライトプロテクトされたメディアであった場合（ＹＥＳの場合）、記録装置３は、例えば、当該装置３を一体に有する表示装置の表示部に図４（Ａ）に示すような画面Ｄ１を表示させ、ユーザにこのメディアを購入するかどうか問い合わせる（ステップＳ３）。なお、ユーザの操作の手間を省くため、このステップは省略し、ライトプロテクトされたメディアを挿入した時点で購入指示があったものとして扱ってもよい。
【００３２】
ステップＳ３において、メディアの購入指示がなかった場合（ＮＯの場合）、記録装置３はそのメディアを排出する（ステップＳ４）。一方、購入すると指示された場合（ＹＥＳの場合）は、記録装置３は、ネットワークＮを介し、メディアから読み出した識別子を送信すると共に、ライトプロテクト解除用にメディア管理サーバ４へパスワード要求を発行する（ステップＳ５）。メディア管理サーバ４の販売管理部４ｂは、パスワード要求に対応して、配送済みメディア情報を参照し、受信した識別子が付されたメディアが配送されたユーザを特定し、特定したユーザに対する課金要求を課金部４ｃに発行する（ステップＳ６）。
【００３３】
課金部４ｃは、課金要求をもとに、該当するユーザに対してメディア代金の課金が可能であるかを判断する（ステップＳ７）。
【００３４】
課金可能でない場合（ＮＯの場合）、課金部４ｃは、課金に失敗した旨の課金結果を販売管理部４ｂへ返送する（ステップＳ８）。この場合、メディア管理サーバ４は、購入が失敗した旨の購入結果を記録装置３に発行する（ステップＳ９）。記録装置３は、購入結果を受け、上述の表示部に図３（Ｂ）に示すような画面Ｄ２を表示させ、メディアの購入に失敗した旨をユーザに通知する。
【００３５】
一方、ステップＳ７において、課金が可能な場合（ＹＥＳの場合）、課金部４ｃは、課金を実施したうえで、課金に成功した旨の課金結果を販売管理部４ｂへ返送する（ステップＳ１１）。なお、課金方式は、例えば、電子マネー等の事前チャージ方式でもかまわないし、クレジット等による事後決済でもかまわない。メディア管理サーバ４は、この課金結果を受けたとき、メディア管理サーバ４では、代金支払済メディア情報（使用済メディア情報）を販売管理部４ｂにより更新するとともに、パスワード記憶部４ａを参照し、記録装置３から受信した識別子に対応したパスワードを記録装置３へ発行する（ステップＳ１２）。
【００３６】
記録装置３は、パスワードを受け、そのパスワードを用いて、メディアのライトプロテクトを解除してメディアを使用可能にする（ステップＳ１３）と共に、上述の表示部に図３（Ｃ）に示すような画面Ｄ３を表示させ、メディアの購入完了をユーザに通知する（ステップＳ１４）。
【００３７】
また、メディア管理サーバ４の販売管理部４ｂは、記録装置３へのパスワードの発行等と並行して、該当するユーザの発送済メディア情報と代金支払済メディア情報を照らし合わせて、ユーザ宅にある残りの代金未払い（すなわち未使用）のメディアの枚数が僅少であるか判断する（ステップＳ１５）。僅少でないと判断した場合（ＮＯの場合）、メディア管理サーバ４における処理は終了するが、僅少となったと判断した場合（ＹＥＳの場合）には、メディア管理サーバ４は、発送管理部Ｘにメディアの補充指示を発行し、発送済メディア情報を更新する（ステップＳ１６）。発送管理部Ｘでは、補充指示に基づいて発送処理が行われ、該当するユーザ宅へライトプロテクトされたメディアが発送される（ステップＳ１７）。「僅少」の判断は、典型的には一定枚数を下回った場合だが、特定の判断基準に限定されず、購入日時など）の購入履歴（課金履歴）を記憶しておき、例えば、購入ペース（すなわち消費ペース）の速いユーザについては枚数に余裕を持って「僅少」と判断するようにしてもよい。
【００３８】
なお、本発明の記録媒体販売管理システムを利用する場合、ユーザは当該システムの利用契約を行い、ユーザにライトプロテクされたメディアが配送される（契約場所において手渡ししてもよい）。そして、契約満了時にメディアがユーザ宅に残っている場合には、例えば、ユーザに返送してもらうようにしておき、返送されない場合には、全ての残ったメディアについて課金するようにしてもよい。この場合、その後、未使用のメディアが挿入された場合には、課金を行わずにパスワードを送信するようになる。
【００３９】
上述の例では、メディアのライトプロテクト記述領域に予めパスワードを記述しておき、当該パスワードと、メディア管理サーバから受信したパスワードが一致した場合に、ライトプロテクトを解除しているが、これとは異なり、ライトプロテクト領域にパスワードを記述せずに、受信したパスワード自体を用いて、ライトプロテクトを解除する構成でもよい。
また、上述の例は、本発明に関わる書込み禁止解除装置が、書込み禁止が解除された記録媒体に記録を行う記録部を有する記録装置で構成されているが、書込み禁止解除装置は、記録部を有さない装置によっても構成できる。
【００４０】
図５は、図１の記録装置３の構成例を示すブロック図である。この記録装置３は、デジタル放送信号を受信して、ＭＰＥＧ−２ＴＳ（Transport Stream）をストリーム処理部１３に出力するデジタルチューナ１１と、図示しないアナログチューナを介して出力されるアナログ放送信号などの映像入力をＭＰＥＧ−２ＴＳに変換し、これらをストリーム処理部１３に出力するＭＰＥＧ（Moving Picture Experts Group）−２エンコーダ１２と、デジタルチューナ１１あるいはＭＰＥＧ−２エンコーダ１２から入力されるＭＰＥＧ−２ＴＳから映像ストリーム、音声ストリーム、及びその他のＳＩ（Service Information）情報などを分離・出力するストリーム処理部１３とを備える。
【００４１】
また、記録装置３は、録画または再生の動作制御を含め記録装置３の全体の制御を行う
ＣＰＵで構成される制御部１４と、録画制御や再生制御に必要なプログラムやデータを格納する揮発性メモリである録画／再生制御用メモリ１５と、ストリーム処理部１３で分離された映像ストリーム及び音声ストリームをデコードして映像信号及び音声信号を出力する再生用デコーダ１６と、デコードされた映像信号に対してサイズ変換や色の補正等を行い、さらに必要なＯＳＤ信号を重畳する画像処理／ＯＳＤ処理部１７と、画像処理／ＯＳＤ処理部２７から出力された映像信号を表示するＬＣＤ（Liquid Crystal Display）などの表示部１８とを備える。なお、再生用デコーダ１６でデコードされた音声信号は図示しないスピーカから音声出力される。
【００４２】
また、記録装置３は、記録装置３の動作を制御するためのプログラムや各種設定データなどを格納する不揮発性メモリであるプログラム格納／設定保存用メモリ１９と、ドライブ部２１とのインタフェースとなるＳＡＴＡ（Serial ATA）Ｉ／Ｆ２０と、メディア２を装着しメディア２に対して読込み／書込みを行うドライブ部２１と、ＨＤＤやフラッシュＲＯＭなどで構成される記憶部２２と、外部装置とネットワークを介して各種データを送受信するためのネットワークＩ／Ｆ２３と、を備える。
【００４３】
メディア２に録画する場合、ストリーム処理部１３は、デジタルチューナ１１あるいはＭＰＥＧ−２エンコーダ１２から入力されるＭＰＥＧ−２ＴＳから必要なパケット（映像ストリーム、音声ストリーム）を抽出し、録画に適したフォーマットに変換する。ストリーム処理部１３で変換されたストリームはＳＡＴＡＩ／Ｆ３０を介してドライブ部２１に転送され、ドライブ部２１は、転送されたストリームをメディア２に書き込んで録画を行う。また、メディア２から再生する場合、制御部１４は、メディア２に録画されたストリームをＳＡＴＡＩ／Ｆ２０を介して読み出し、読み出したストリームを再生用デコーダ１６に送る。再生用デコーダ１６は、このストリームをデコード処理し、映像信号を画像処理／ＯＳＤ処理部１７を介して表示部１８に表示させ、音声信号をスピーカから出力させる。
【００４４】
ここで、記録装置３として、図１に示したメディア２を装着可能なドライブ部２１を一体的に備えたテレビジョン装置として例示したが、表示部１８を持たないレコーダなどであってもよい。記録装置３をレコーダとして構成する場合、テレビジョン装置などの表示装置と外部接続すればよい。
【００４５】
なお、図１の書込み禁止解除要求部３ａ及び書込み管理部３ｂは、制御部２４、ＳＡＴＡ Ｉ／Ｆ２０及びドライブ部２１により実現される。
【００４６】
図６は、図１のメディア管理サーバ４を構成する汎用コンピュータの内部構成例を示すブロック図で、３１はＣＰＵ、３２はＲＡＭ、３３はＲＯＭ、３４はＨＤＤ等の記憶装置、３５はキーボード，マウス（ポインティングデバイス）等の入力装置、３６はＣＲＴ，ＬＣＤ等の表示装置、３７は通信装置、３８は出力装置、３９はシステムバスである。本装置で取り扱う情報は、その処理時に一時的にＲＡＭ３２に格納され、必要に応じて、ＣＰＵ３１によって読出し、修正、及び書込み等が実行される。また、この情報処理装置をメディア管理サーバ４として機能させるためのプログラムは、ＲＯＭ３３又は記憶装置３４に格納され、ＣＰＵ３１が適宜ＲＡＭ３２に読み出すことにより実行される。また、処理に必要な情報（例えば、図１の記録媒体販売管理システム１のユーザ情報）は、入力装置３５から操作者が入力指定できる。
【００４７】
通信装置３７は、ネットワーク等を介して外部装置と通信を行う。尚、ＣＰＵ３１，ＲＡＭ３２，ＲＯＭ３３，記憶装置３４，入力装置３５，表示装置３６，通信装置３７，出力装置３８はシステムバス３９で接続され、相互にアクセス可能とする。
【００４８】
図１のパスワード記憶部４ａは例えば記憶装置３４により実現され、販売管理部４ｂはＣＰＵ３１により実現される。販売管理部４ｂが扱う配送済メディア情報などの各種情報は例えば記憶装置３４に記憶され、処理段階においてＲＡＭ３２に読み出される。また、記録装置３から受信したメディアの識別子は例えばＲＡＭ３２に記憶される。
【００４９】
なお、図１のメディア管理サーバ４は、パスワード記憶部４ａ等の各機能が１つの装置に集約されているように図示されているが、各機能を複数の装置に分散させても良い。
【符号の説明】
【００５０】
１…記録媒体販売管理システム、２…メディア、３…記録装置、３ａ…書込み禁止解除要求部、３ｂ…書込み管理部、４…メディア管理サーバ、４ａ…パスワード記憶部、４ｂ…販売管理部、４ｃ…課金部。
【図１】
2010250649.tif 000003
【図２】
2010250649.tif 000004
【図３】
2010250649.tif 000005
【図４】
2010250649.tif 000006
【図５】
2010250649.tif 000007
【図６】
2010250649.tif 000008